(57)【要約】【課題】表示領域の周囲に見栄えを良くするための見切り領域を備えた液晶表示パネルにおいて、走査線配線に沿った暗視現象が生じないようにした液晶表示パネルを提供すること。【解決手段】本発明の液晶表示パネルは、マトリクス状に配置された複数の信号線及び走査線に囲まれたそれぞれの領域に画素電極が形成された表示領域１４を備えたアレイ基板と、対向電極を有する対向基板と、前記アレイ基板及び対向基板の周縁部がシール材３５によってシールされているとともに両基板間に封入された液晶層と、を有する液晶表示パネル１０において、前記アレイ基板の表示領域１４の周囲は反射板３７ａ及び連続な透明電極３８ａを備えた見切り領域３４により被覆されているとともに、前記見切り領域３４の周縁部が前記シール材３５によりシールされており、前記見切り領域３４の透明電極３８ａは前記対向電極と電気的に接続されていることを特徴とする。【選択図】図１
2007334023.tif 000002
【特許請求の範囲】
【請求項１】
透光性基板上に、マトリクス状に配置された複数の信号線及び走査線と、前記信号線及
び走査線にそれぞれ接続された走査線配線及び信号線配線と、コモン配線と、が設けられ
ているとともにこれらの表面全体に亘って絶縁膜が被覆され、前記複数の信号線及び走査
線に囲まれた前記絶縁膜上のそれぞれの領域に画素電極が形成された表示領域を備えたア
レイ基板と、
対向電極を有する対向基板と、
前記アレイ基板及び対向基板の周縁部がシール材によってシールされているとともに両
基板間に封入された液晶層と、
前記シール材の周縁部に設けられた前記コモン配線と対向電極とを電気的に接続するト
ランスファ電極と、
を有する液晶表示パネルにおいて、
前記アレイ基板の表示領域の周囲には反射板及び連続的に形成された透明電極を備えた
装飾用反射部が配置されているとともに、前記装飾用反射部の周縁部が前記シール材によ
りシールされており、
前記透明電極は前記トランスファ電極に電気的に接続されていることを特徴とする液晶
表示パネル。
【請求項２】
前記トランスファ電極は前記シール材に設けられた液晶注入孔の内側に配置されている
ことを特徴とする請求項１に記載の液晶表示パネル。
【請求項３】
前記トランスファ電極は前記シール材に設けられた液晶注入孔の両側に位置するシール
材のうち、少なくとも一方の内側の端縁に接するように設けられていることを特徴とする
請求項２に記載の液晶表示パネル。
【請求項４】
前記トランスファ電極は前記シール材に設けられた液晶注入孔の外側に配置されている
ことを特徴とする請求項１に記載の液晶表示パネル。
【請求項５】
前記トランスファ電極は前記シール材に設けられた液晶注入孔の両側に位置するシール
材のうち、少なくとも一方の外側の端縁に接するように設けられていることを特徴とする
請求項４に記載の液晶表示パネル。
【請求項６】
前記装飾用反射部の反射板は凹凸構造を有していることを特徴とする請求項１に記載の
液晶表示パネル。
【請求項７】
前記画素電極の表面又は背面に部分的又は全面に凹凸構造を有している反射板が形成さ
れていることを特徴とする請求項１〜６のいずれかに記載の液晶表示パネル。
【発明の詳細な説明】
【技術分野】
【０００１】
本発明は、液晶表示パネルに関し、特に表示領域の周囲に見栄えを良くするための装飾
用の反射部（見切り領域）を備えた液晶表示パネルにおいて、この見切り領域における走
査線配線に沿って線状に暗く見えることがないようにした液晶表示パネルに関する。
【背景技術】
【０００２】
近年、情報通信機器のみならず一般の電気機器においても液晶表示パネルの適用が急速
に普及している。液晶表示パネルは、自ら発光しないために、バックライトを備えた透過
型の液晶表示パネルが多く使用されている。
【０００３】
しかしながら、バックライトの消費電力が大きいために、特に携帯型の機器については
消費電力を減少させるためにバックライトを必要としない反射型の液晶表示パネルが用い
られているが、この反射型液晶表示パネルは、外光を光源として用いるために、暗い室内
などでは見えにくくなってしまう。そこで、近年に至り特に透過型と反射型の機能を兼ね
備えた半透過型の液晶表示パネルの開発が進められてきている。
【０００４】
この半透過型液晶表示パネルは、一つの画素領域内に画素電極を備えた透過部と画素電
極及び反射電極の両方を備えた反射部を有しており、暗い場所においてはバックライトを
点灯して画素領域の透過部を利用して画像を表示し、明るい場所においてはバックライト
を点灯することなく反射部において外光を利用して画像を表示しているため、常時バック
ライトを点灯する必要がなくなるので、消費電力を大幅に低減させることができるという
利点を有している。
【０００５】
ここで、従来の半透過型液晶表示パネルの一具体例を、図７〜図９を用いて説明する。
なお、図７は従来例の片端子型の半透過型液晶表示パネルの模式的な平面図、図８は図７
のアレイ基板の１画素分の平面図、図９は図８のＣ−Ｃ線に沿った断面図である。なお、
図７においては、本発明の理解のために表示領域の周囲の非表示領域を誇張して描いてあ
る。また、この明細書における表示領域とは、画素電極が形成されており、画素電極に印
加された電界によって液晶層（液晶分子）が配向制御される平面領域のことであり、非表
示領域とは画素電極が形成されておらず、液晶層が存在していても配向制御されていない
平面領域を指すものである。
【０００６】
従来の半透過型液晶表示パネル１０Ａは、液晶層を挟んで互いに対向するアレイ基板１
１及び対向基板１２を備えている。アレイ基板１１は、例えばガラス板からなる透明基板
１３上の表示領域１４にアルミニウムやモリブデン等の金属からなる複数の走査線１７が
等間隔に平行になるように形成されているとともに、複数の走査線１７は走査線配線１７
１よって表示領域１４の周囲の額縁領域１５に設けられたドライバ回路配置部１６に接続
されており、また、隣り合う走査線１７間の略中央に走査線１７と平行になるように補助
容量線１８が形成され、更に走査線１７からＴＦＴのゲート電極Ｇが延設されている。な
お、透明基板１３上には更にコモン配線も設けられているが、図示省略した。
【０００７】
また、透明基板１３の全面に走査線１７、補助容量線１８及びゲート電極Ｇを覆うよう
にして窒化シリコンや酸化シリコンなどからなるゲート絶縁膜１９が積層され、ゲート電
極Ｇの上にゲート絶縁膜１９を介して非晶質シリコンや多結晶シリコンなどからなる半導
体層２０が形成され、また、ゲート絶縁膜１９上にアルミニウムやモリブデン等の金属か
らなる複数の信号線２１が走査線１７と直交するようにして形成されているとともに、複
数の信号線２１は信号線配線２１１によって同じくドライバ回路配置部１６に接続されて
いる。また、この信号線２１から半導体層２０と接触するようにＴＦＴのソース電極Ｓが
延設され、更に、信号線２１及びソース電極Ｓと同一の材料でかつドレイン電極Ｄが同じ
く半導体層２０と接触するようにゲート絶縁膜１９上に設けられている。
【０００８】
ここで、走査線１７と信号線２１とに囲まれた領域が１画素に相当する。そしてゲート
電極Ｇ、ゲート絶縁膜１９、半導体層２０、ソース電極Ｓ、ドレイン電極Ｄによってスイ
ッチング素子となるＴＦＴが構成され、それぞれの画素にこのＴＦＴが形成される。この
場合、ドレイン電極Ｄと補助容量線１８によって各画素の補助容量を形成することになる
。
【０００９】
これらの信号線２１、ＴＦＴ、ゲート絶縁膜１９を覆うようにして透明基板１３の全面
にわたり例えば無機絶縁材料からなる保護絶縁膜（パッシベーション膜ともいわれる）２
２が積層され、この保護絶縁膜２２上に有機絶縁膜からなる層間膜２３（平坦化膜ともい
われる）が透明基板１３の全体にわたり積層されている。そして保護絶縁膜２２と層間膜
２３には、ＴＦＴのドレイン電極Ｄに対応する位置にコンタクトホール２４が形成されて
いる。更に、それぞれの画素において、ＴＦＴ及び補助容量線１８側に部分的に例えばア
ルミニウム金属からなる反射板２７が形成され、反射板２７、コンタクトホール２４及び
層間膜２３の表面に例えばＩＴＯ（Indium Tin Oxide）ないしＩＺＯ（Indium Zinc Oxid
e）からなる画素電極２６が形成され、画素電極２６の表面に全ての画素を覆うように配
向膜（図示せず）が積層されている。
【００１０】
また、対向基板１２は、別途ガラス板からなる透明基板２８の表面に、前記アレイ基板
１１の少なくとも表示領域１４に対応する位置に、それぞれの画素に対応して例えば赤色
（Ｒ）、緑色（Ｇ）、青色（Ｂ）からなるカラーフィルタ層２９が設けられているととも
に、このカラーフィルタ層２９の表面に少なくともアレイ基板１１の反射板２７が設けら
れている領域、すなわち反射部に対応する位置に、トップコート層３０が積層され、更に
トップコート層３０及びカラーフィルタ層２９の表面に対向電極３１及び配向膜（図示せ
ず）が積層されている。このトップコート層３０は、反射部における画素電極２６と対向
電極３１との間の距離（セルギャップ）を反射板２７が設けられていない透過部における
セルギャップの約１／２となるようにし、反射部における色調と透過部における色調が等
しくなるようにするために設けられるものである。なお、カラーフィルタ層２９としては
、更にシアン（Ｃ）、マゼンタ（Ｍ）、黄色（Ｙ）等のカラーフィルタ層を適宜に組み合
わせて使用する場合もあり、モノクロ表示用の場合にはカラーフィルタ層を設けない場合
もある。
【００１１】
そして、このようにして得られたアレイ基板１１及び対向基板１２をそれぞれ対向させ
、適宜間隔で周縁部のセルギャップを一定に保つための柱状スペーサ３９を配置するとと
もに、アレイ基板１１及び対向基板１２周囲をシール材３５によりシールし、アレイ基板
１１のコモン配線と対向基板１２の対向電極とをトランスファ電極（図示せず）を介して
電気的に接続し、両基板間に液晶注入孔（図示せず）から液晶を注入した後、この液晶注
入孔を封止することにより、所定の半透過型液晶表示パネル１０Ａが得られる。
【００１２】
なお、この半透過型液晶表示パネル１０Ａは、アレイ基板１１側に図示しないバックラ
イト装置を配置することにより、暗い場所ではバックライトを点灯して液晶表示パネル１
０Ａを透過した光によって所定の画像を表示し、明るい場所ではバックライトを点灯せず
に外光による反射光を利用して所定の画像を表示するものであるが、画素電極２６の表面
全体に反射板を設けると反射型液晶表示パネルが得られる。このような半透過型液晶表示
パネルないし反射型液晶表示パネルにおいては、反射板２７を画素電極２６の表面に設け
る場合もあり、また、反射部での反射効率を良好にするとともに、良好な白色表示ができ
るようにするために、反射光が拡散反射光となるようにする目的で反射板２７が設けられ
ている箇所の層間膜２３の表面に凹凸形状を設けることが普通に行われている。
【００１３】
上述のような従来の半透過型液晶表示パネルないし反射型液晶表示パネルは、表示領域
の周囲の非表示領域を遮光性のブラックマスク及び外装カバーによって被覆することによ
り、観察者には主として表示領域のみが視認できるようにしている。例えば、図７に示し
た従来例の半透過型液晶表示パネル１０Ａにおいては、少なくともハッチングを付与した
部分がブラックマスク及び外装カバーによって被覆された非表示領域３３を示し、表示領
域１４のみが観察者から視認できるようになされている。
【００１４】
しかしながら、近年に至り、見栄えを良くするために、表示領域の周囲の非表示領域に
外光を反射する反射部を形成し、この反射部を形成した非表示領域を装飾用として用いた
液晶表示パネルが使用されるようになってきた。このような反射部を形成した非表示領域
を装飾用として用いた半透過型液晶表示パネル１０Ｂは、図１０に示したように、非表示
領域のうちブラックマスク及び外装カバーによって被覆された非表示領域３３は観察者か
ら視認できないようになっているが、反射部を形成した非表示領域３４の部分は観察者か
ら視認できるようになっている。なお、図１０は反射部を形成した非表示領域を装飾用と
して用いた半透過型液晶表示パネル１０Ｂの模式的な平面図であり、この場合においても
表示領域の周囲の非表示領域を誇張して描いてある。また、図１０においては図７に示し
た半透過型液晶表示パネル１０Ａと同一構成部分には同一の参照符号を付与してその詳細
な説明は省略する。
【００１５】
この反射部を形成した非表示領域３４の部分は、画素電極を備えていないために、液晶
分子の配向状態は変化しないが、観察者には、反射部を形成した非表示領域３４に対応す
る対向基板１２に設けられたカラーフィルタ層と同色に見え、通常は表示領域１４に形成
されたカラーフィルタ層と同様のカラーフィルタ層が反射部を形成した非表示領域３４に
も形成されているために、実質的に白色に見える。なお、反射部を形成した非表示領域３
４が良好な白色状態に見えるようにする場合、反射型液晶表示パネルや半透過型液晶表示
パネルのように、表示領域の反射部とほぼ同一の反射表示構造を採用する必要があるため
、反射板の下地の層間膜の表面には凹凸形状が設けられている。なお、以下においては、
このような装飾用として用いられる反射部を形成した非表示領域３４の部分を「見切り領
域」と表現するとともに参照符号として同じ「３４」を付与して説明することとする。
【００１６】
なお、下記特許文献１には、反射型ないし半透過型液晶表示パネルにおける表示領域と
非表示領域との境界近傍において発生するセルギャップの不均一性に基づく表示不良を少
なくする目的で、表示領域の反射部の層間膜の表面に設ける凹凸形状を非表示領域にも設
けるようにしたものが開示されているが、非表示領域の一部を上述のような見切り領域と
することに関する記載はない。
【特許文献１】特開２００３−２２８０４９号公報（特許請求の範囲、段落［０００２］〜［００１２４］、［００４０］〜［００９７］、図１〜図８、図１６）
【発明の開示】
【発明が解決しようとする課題】
【００１７】
上述のような見切り領域３４を有する半透過型液晶表示パネル１０Ｂにおいては、見切
り領域３４は表示状態が変化しないが、表示領域１４の周囲に常に白く見える美的装飾効
果を与えることができるため、見栄えが非常に良くなる。しかしながら、本発明者等によ
る詳細な検討結果によると、上述のような見切り領域３４を有する従来の液晶表示パネル
１０Ｂにおいては、図１０の表示領域１４の左右両側に破線で囲んだ部分Ｘにおいて、走
査線配線１７１に沿って線状に暗く見えることが認められた。
【００１８】
発明者等は、このような見切り領域３４を有する液晶表示パネルにおける見切り領域の
走査線配線１７１に沿った暗視現象の生成原因について種々検討を重ねた結果、以下のよ
うな原因に基づくものであることを見出した。すなわち、図１０に示した半透過型液晶表
示装置１０ＢのＤ−Ｄ線に沿った額縁領域１５の断面図は、図１１に示したとおりである
。この額縁領域１５においては、アレイ基板１１側の透明基板１３の表面には複数本の走
査線配線１７１やコモン配線４０等が形成されており、この走査線配線１７１やコモン配
線４０等の表面はゲート絶縁膜１９及び保護絶縁膜２２により被覆され、更に見切り領域
３４においては、保護絶縁膜２２の表面が層間膜２３により被覆されているとともに、適
宜間隔で周縁部のセルギャップを一定に保つための柱状スペーサ３９が配置され、また、
アレイ基板１１と対向基板１２との周縁部がシール材３５によって密封されている。
【００１９】
このうち、対向基板１２にブラックマスク３６が設けられた領域が非表示領域３３を形
成し、非表示領域３３と表示領域１４との間が見切り領域３４を形成する。この見切り領
域３４は、層間膜２３の表面に凹凸が形成され、この凹凸状態の層間膜２３の表面には例
えばアルミニウム金属等からなる反射板３７が形成され、更に、その表面にはＩＴＯない
しＩＺＯからなる透明電極３８が形成されて、反射板３７及び透明電極３８ともに表面が
凹凸状態となされている。この反射板３７及び透明電極３８は、従来からの静電気保護用
のダミー電極の製造工程との兼ね合いから、図１２に示したように、表示領域１４の反射
板３７及び画素電極２６と同ピッチで反射板３７及び透明電極３８が積層された状態で分
離されており、これらの反射板３７及び透明電極３８は電気的には何処にも接続されずに
フローティング状態とされている。なお、対向基板１２には、アレイ基板１１の表示領域
１４の各画素電極２６の周囲及び見切り領域３４の各透明電極３８の周囲に対応する位置
を遮光するように、ブラックマトリクスが形成されているが、図１１においては図示省略
してある。また、図１２は図１０の液晶表示パネル１０Ｂのアレイ基板の左上側の模式的
な部分拡大図である。
【００２０】
従って、本来は、フローティング状態にある透明電極３８には電位は生じないので、透
明電極３８と対向電極３１との間に電位差は生じることがなく、透明電極３８と対向電極
３１との間に存在する液晶分子が動くことがないため、見切り領域３４が走査線配線１７
１に沿って暗く見えるようなことは生じないはずであるが、走査線配線１７１に印加され
る電圧は電圧が高い交流電圧（例えば±１５Ｖ）であるため、走査線配線１７１と対向電
極３１との間に印加されている電圧が分圧されて透明電極３８に電圧が生じ、透明電極３
８と対向電極３１との間に電圧ＶＬＣが印加され、この電圧ＶＬＣによって透明電極３８
と対向電極３１との間の液晶分子の配向状態が変化するために見切り領域３４の走査線配
線１７１に沿って暗く見える現象が生じるものである。なお、信号線配線２１１に印加さ
れる電圧は、走査線配線１７１に印加される電圧に比すると遙かに低いため、見切り領域
３４における液晶分子には実質的に影響を与えることはない。
【００２１】
この透明電極３８と対向電極３１との間に発生する電圧ＶＬＣについて図１３を用いて
説明する。走査線配線１７１と透明電極３８との間の層間膜２３の平均厚さＬ１＝約１．
４５μｍであり、また、層間膜２３として普通に使用されているポリイミドの誘電率ε＝
３．４であって、走査線配線１７１と透明電極３８との間にはこの層間膜２３を誘電体と
するコンデンサＣＳが生じる。また、透明電極３８と対向電極３１との間の平均距離Ｌ２
＝約２．０μｍであり、また、一般的に使用されている液晶層の誘電率Δε＝約７であっ
て、透明電極３８と対向電極３１との間にはこの液晶層を誘電体とするコンデンサＣＬＣ
が生じる。
【００２２】
従って、走査線配線１７１と対向電極３１との間に印加される電圧Ｖ０は、走査線配線
１７１と透明電極３８との間に生じるコンデンサＣｓと透明電極３８と対向電極３１との
間に生じるコンデンサＣＬＣとの直列回路で分圧され、透明電極３８と対向電極３１との
間には下記式（１）で表される電圧ＶＬＣが印加されることとなる。一例として、走査線
配線１７１と対向電極３１との間に印加される電圧Ｖ０が１５Ｖの場合、ＶＬＣは約６Ｖ
となる。
【数１】
2007334023.tif 000003
【００２３】
発明者等は、このような原因に基づく見切り領域の走査線配線１７１に沿った暗視現象
を解消すべく種々検討を重ねた結果、透明電極３８と対向電極３１とを電気的に接続して
等電位とすることにより、透明電極３８と対向電極３１との間の電位差Ｖ０＝０Ｖとする
ことができ、それによって見切り領域３４の走査線配線１７１に沿った暗視現象を無くす
ことができることを見出し、本発明を完成するに至ったのである。
【００２４】
すなわち、本発明は、表示領域の周囲に見切り領域を備えた液晶表示パネルにおいて、
この見切り領域における暗視現象が生じないようにした液晶表示パネルを提供することを
目的とする。
【課題を解決するための手段】
【００２５】
上記目的を達成するため、本発明の液晶表示パネルの発明は、
透光性基板上に、マトリクス状に配置された複数の信号線及び走査線と、前記信号線及
び走査線にそれぞれ接続された走査線配線及び信号線配線と、コモン配線と、が設けられ
ているとともにこれらの表面全体に亘って絶縁膜が被覆され、前記複数の信号線及び走査
線に囲まれた前記絶縁膜上のそれぞれの領域に画素電極が形成された表示領域を備えたア
レイ基板と、
対向電極を有する対向基板と、
前記アレイ基板及び対向基板の周縁部がシール材によってシールされているとともに両
基板間に封入された液晶層と、
前記シール材の周縁部に設けられた前記コモン配線と対向電極とを電気的に接続するト
ランスファ電極と、
を有する液晶表示パネルにおいて、
前記アレイ基板の表示領域の周囲には反射板及び連続的に形成された透明電極を備えた
装飾用反射部が配置されているとともに、前記装飾用反射部の周縁部が前記シール材によ
りシールされており、
前記透明電極は前記トランスファ電極に電気的に接続されていることを特徴とする。
【００２６】
また、本発明は、上記液晶表示パネルにおいて、前記トランスファ電極は前記シール材
に設けられた液晶注入孔の内側に配置されていることを特徴とする。
【００２７】
前記トランスファ電極は前記シール材に設けられた液晶注入孔の両側に位置するシール材
のうち、少なくとも一方の内側の端縁に接するように設けられていることを特徴とする。
【００２８】
また、本発明は、上記液晶表示パネルにおいて、前記トランスファ電極は前記シール材
に設けられた液晶注入孔の外側に配置されていることを特徴とする。
【００２９】
また、本発明は、上記液晶表示パネルにおいて、前記トランスファ電極は前記シール材
に設けられた液晶注入孔の両側に位置するシール材のうち、少なくとも一方の外側の端縁
に接するように設けられていることを特徴とする。
【００３０】
また、本発明は、上記液晶表示パネルにおいて、前記装飾用反射部の反射板は凹凸構造
を有していることを特徴とする。
【００３１】
また、本発明は、上記液晶表示パネルにおいて、前記画素電極の表面又は背面に部分的
又は全面に凹凸構造を有している反射板が形成されていることを特徴とする。
【発明の効果】
【００３２】
本発明は、上述の構成を備えることにより以下のような優れた効果を奏する。すなわち
、本発明の液晶表示パネルによれば、アレイ基板の表示領域の周囲に形成された透明電極
は表示領域の周囲を連続的に被覆しているとともに、少なくとも透明電極がトランスファ
電極を介して対向電極と電気的に接続されているので、透明電極と対向電極とは実質的に
同電位となる。従って、透明電極と対向電極の間には電位差が生じることがないため、両
電極間に存在している液晶分子が走査線配線に印加される信号電圧によって影響を受ける
ことがなくなるので、従来例のように走査線配線に沿って線状に暗く見えるようなことが
なくなり、反射板による外光の反射を利用した見栄えの良い白く見える装飾用反射部、す
なわち見切り領域を備えた液晶表示パネルが得られる。
【００３３】
また、液晶表示パネルはトランスファ電極によって対向電極とコモン配線とが電気的に
接続されているが、本発明の液晶表示パネルによれば、トランスファ電極を利用して前記
装飾用反射部の透明電極を対向電極と電気的に接続することができるため、特に工数を増
やすことなく、また、特殊な配線を増やすことなく容易に良好な装飾効果を奏する見切り
領域を有する液晶表示パネルが得られる。
【００３４】
また、本発明の液晶表示パネルによれば、前記トランスファ電極は前記シール材に設け
られた液晶注入孔の内部に配置されているため、狭額縁化された液晶表示パネル又はシー
ル部の外側に配線を引き回すタイプの液晶表示パネルにおいてもトランスファ電極を配置
するためのスペースを確保することができるようになり、トランスファ電極の配置スペー
スが制限される液晶表示パネルにおいても上述した効果を奏する液晶表示パネルが得られ
る。
【００３５】
また、本発明の液晶表示パネルによれば、トランスファ電極は前記シール材に設けられ
た液晶注入孔の両側に位置するシール材のうち、少なくとも一方の内側の端縁に接するよ
うに設けられているため、液晶注入孔が見かけ上広がった状態となるので、液晶の注入作
業がスムーズに行えるようになる。
【００３６】
また、本発明の液晶表示パネルによれば、トランスファ電極はシール材に設けられた液
晶注入孔の外側に配置されているため、液晶注入孔に広い開口スパンを確保することがで
き、上述した効果を奏しつつ、しかも、トランスファ電極が液晶注入時に妨げとならず、
液晶注入作業をスムーズに行うことができる液晶表示パネルが得られる。
【００３７】
また、本発明の液晶表示パネルによれば、トランスファ電極は前記シール材に設けられ
た液晶注入孔の両側に位置するシール材のうち、少なくとも一方の外側の端縁に接するよ
うに設けられているため、トランスファ電極配置のためのスペースを少なくすることがで
きるとともに、上述した効果を奏する液晶表示パネルが得られる。
【００３８】
また、本発明の液晶表示パネルによれば、装飾用反射部の反射板は凹凸構造を有してい
るために、外部から入射した光は拡散反射光となり、少なくとも装飾用反射部では純粋な
白色に見えるようになるので、白色の見栄えの良い装飾効果を奏する液晶表示パネルが得
られる。
【００３９】
さらに、本発明の液晶表示パネルによれば、透過型液晶表示パネルのみならず、半透過
型液晶表示パネル及び反射型液晶表示パネルにおいても、白色の見栄えの良い装飾効果を
奏する液晶表示パネルが得られる。
【発明を実施するための最良の形態】
【００４０】
以下、本発明における好適な実施形態を実施例及び図面を参照して説明する。ただし、
以下に示す実施形態は、本発明の技術思想を具体化するための半透過型液晶表示パネルを
例示するものであって、本発明をこの半透過型液晶表示パネルに特定することを意図する
ものではなく、本発明は、透過型液晶表示パネル、反射型液晶表示パネル等、特許請求の
範囲に含まれるその他の実施形態のものにも等しく適応し得るものである。
【実施例１】
【００４１】
実施例１の半透過型液晶表示パネル１０を図１〜図４を用いて説明する。なお、図１は
実施例１による片端子型の半透過型液晶表示パネルの模式的な平面図であり、図２は図１
のＡ−Ａ線に沿った断面図であり、図３は図１のＢ−Ｂ線に沿った断面図であり、図４は
図１の半透過型液晶表示パネルのアレイ基板の左上側の模式的な部分拡大図である。なお
、この実施例１の半透過型液晶表示パネル１０におけるアレイ基板の表示領域の各画素の
構成は、図８及び図９に示した従来例のものと実質的に同様であるので、従来例のものと
同一の構成部分には同一の参照符号を付与し、必要に応じて図８及び図９を援用して説明
することとする。
【００４２】
この実施例１の半透過型液晶表示パネル１０は、液晶層を挟んで互いに対向するアレイ
基板１１及び対向基板１２を備えている。アレイ基板１１は、透明基板１３上に表示領域
１４に複数の走査線１７が等間隔に平行になるように形成されているとともに、複数の走
査線１７は走査線配線１７１よって表示領域１４の周囲の額縁領域１５に設けられたドラ
イバ回路配置部１６に接続されており、また、隣り合う走査線１７間の略中央に走査線１
７と平行になるように補助容量線１８が形成され、更に走査線１７からＴＦＴのゲート電
極Ｇを延設されている。なお、透明基板１３上には更にコモン配線４０も設けられている
。
【００４３】
また、透明基板１３の全面に走査線１７、補助容量線１８、ゲート電極Ｇを覆うように
してゲート絶縁膜１９が積層され、ゲート電極Ｇの上にゲート絶縁膜１９を介して半導体
層２０が形成され、また、ゲート絶縁膜１９上に複数の信号線２１が走査線１７と直交す
るようにして形成されているともに、複数の信号線２１は信号線配線２１１によって同じ
くドライバ回路配置部１６に接続されている。また、この信号線２１から半導体層２０と
接触するようにＴＦＴのソース電極Ｓが延設され、更に、ドレイン電極Ｄが同じく半導体
層２０と接触するようにゲート絶縁膜１９上に設けられている。
【００４４】
ここで、走査線１７と信号線２１とに囲まれた領域が１画素に相当し、それぞれの画素
にこのＴＦＴが形成される。これらの信号線２１、ＴＦＴ、ゲート絶縁膜１９を覆うよう
にして透明基板１３の全面にわたり保護絶縁膜２２が積層され、この保護絶縁膜２２上に
層間膜２３が透明基板１３の全体にわたり積層されている。そして保護絶縁膜２２と層間
膜２３には、ＴＦＴのドレイン電極Ｄに対応する位置にコンタクトホール２４が形成され
ている。更に、それぞれの画素において、ＴＦＴ及び補助容量線１８側に部分的に例えば
アルミニウム金属からなる反射板２７が形成され、反射板２７、コンタクトホール２４及
び層間膜２３の表面に例えばＩＴＯないしＩＺＯからなる画素電極２６が形成され、画素
電極２６の表面に全ての画素を覆うように配向膜（図示せず）が積層されている。なお、
ここでは層間膜２３を透明基板１３の表面全体に亘り積層した例を示したが、この層間膜
を形成しないものもあり、この場合、保護絶縁膜２２にコンタクトホール２４が形成され
、更にその上に反射板２７及び画素電極２６が形成される。
【００４５】
一方、表示領域１４の周囲は額縁領域１５となるが、この額縁領域１５においては、層
間膜２３の表面は、表示領域１４に隣接した周囲には凹凸形状が形成されているが、更に
その周囲の一部は平らな表面とされており、この層間膜２３の少なくとも凹凸形状が形成
された表面には連続的に反射板３７ａ及び透明電極３８ａが一体に積層形成されている。
従って、この実施例１のアレイ基板１１の額縁領域１５は、図１及び図４に示したように
、平面視において表示領域１４の周囲に連続的に反射板３７ａ及び透明電極３８ａによっ
て被覆された見切り領域３４が形成され、更にその周囲が非表示領域３３となっている。
そして、図１及び図３に示したように、少なくとも透明電極３８ａの一部が、非表示領域
３３における層間膜２３の平らな表面上を延長され、シール材３５によって形成される液
晶注入孔４２の内部の実質的に中央部に離して設けられたトランスファ電極形成部４３に
電気的に接続されている。なお、ここではトランスファ電極形成部４３を２個設けた例を
示したが、このトランスファ電極形成部４３は１個でもよい。
【００４６】
また、対向基板１２は、別途透明基板２８上に、アレイ基板１１の非表示領域３３に対
応する位置にブラックマスク３６が形成されているとともに、少なくともアレイ基板１１
の表示領域１４の各画素電極２６の周囲を遮光するようにブラックマトリクスが設けられ
ているが、図２及び図３においては図示省略した。なお、この実施例１の半透過型液晶表
示パネル１０においては、見切り領域３４に対応する位置には本来ブラックマトリクスを
設ける必要はないが、従来から採用されている製造手段を変える必要がないようにするた
め、あえて見切り領域３４にもブラックマトリクス（図示せず）を設けるようにしている
。更に、前記アレイ基板１１の少なくとも表示領域１４及び見切り領域３４に対応する位
置にそれぞれの画素に対応してカラーフィルタ層２９が設けられ、また、表示領域１４の
カラーフィルタ層２９の表面の少なくとも反射部に対応する位置に、反射部における色調
と透過部における色調が等しくなるように、反射部のセルギャップが透過部のセルギャッ
プの約１／２となるようにするためのトップコート層３０が積層され、更にこのトップコ
ート層３０及びカラーフィルタ層２９の表面に対向電極３１及び配向膜（図示せず）が積
層されている。
【００４７】
そして、このようにして得られたアレイ基板１１及び対向基板１２をそれぞれ対向させ
、適宜セルギャップを一定値に維持するためのリブ（図示せず）を配置し、周囲をシール
材３５によりシールするとともに、このシール材３５により形成された液晶注入孔４２の
内部に設けられたトランスファ電極形成部４３にトランスファ電極４４を形成することに
よりアレイ基板１１のコモン配線と対向基板１２の対向電極３１とを電気的に接続し、両
基板間に液晶注入孔４２から液晶を注入した後、この液晶注入孔４２を封止することによ
り、実施例１の半透過型液晶表示パネル１０が得られる。
【００４８】
したがって、実施例１の半透過型液晶表示パネル１０においては、見切り領域３４に連
続的に設けられた透明電極３８ａはトランスファ電極４４を介してコモン配線４０に接続
されている対向電極３１に電気的に接続されているから、透明電極３８ａと対向電極３１
とは等電位となるため、透明電極３８ａと対向電極３１との間に存在している液晶分子は
層間膜２３の下部に設けられている走査線配線１７１の電位の影響を受けることがなくな
るので、従来例のような見切り領域３４が走査線配線１７１に沿って暗く見えるというよ
うな現象は生じなくなり、見栄えの良い白色の装飾効果を有する見切り領域３４を備えた
液晶表示パネル１０が得られる。
【００４９】
また、実施例１の半透過型液晶表示パネル１０によれば、トランスファ電極４４を利用
して透明電極３８ａと対向電極３１とを電気的に接続するとともに、コモン配線４０にも
電気的に接続するようにしたので、トランスファ電極４４自体は従来例の液晶表示パネル
でも慣用的に用いられているものであるから、特に工数を増やすことなく、また、特殊な
配線を増やすことなく簡単に透明電極３８ａを対向電極３１及びコモン配線４０に電気的
に接続することができる。また、トランスファ電極４４はシール材によって設けられた液
晶注入孔の内部に配置されているため、液晶表示パネルが狭額縁化されたものであっても
あるいはシール部の外側に配線を引き回すタイプのものであっても、トランスファ電極４
４を配置するためのスペースを確保することができるようになる。
【００５０】
更に、実施例１の半透過型液晶表示パネル１０によれば、対向基板の見切り領域３４に
対応する位置の周縁部はブラックマスク３６によって被覆されているため、表示領域１４
及び見切り領域３４は良好に外部から視認できるが、見切り領域３４の外周部は外部から
視認できないようになるため、装飾効果がない見切り領域の外周部は外部から見えなくな
るため、反射板３７ａによる外光の反射を利用した見栄えのよい装飾効果を奏する見切り
領域３４を有する半透過型液晶表示パネル１０を得ることができる。
【００５１】
また、実施例１においては、対向基板１２の非表示領域３３に対応する部分の内面側を
ブラックマスク３６で被覆して遮光した例を示したが、これに限らず、対向基板１２の外
面側にブラックマスクを設けて遮光するようにしてもよいし、あるいは対向基板１２の外
面側を外装カバーにより遮光するようにしてもよい。しかしながら、対向基板１２のカラ
ーフィルタ層２９の形成時にはブラックマトリクス形成工程が含まれているため、このブ
ラックマトリクス形成時に同時にブラックマスク３６を形成できるため、対向基板１２の
非表示領域３３に対応する部分の内面側をブラックマスク３６で被覆して遮光するように
した方がよく、更には半透過型液晶表示パネル１０の額縁領域の保護のために対向基板１
２の外面側を外装カバーにより遮光することを組み合わせる方がよい。
【００５２】
なお、この実施例１においては、見切り領域３４の層間膜２３の表面に凹凸形状を設け
た例を示したが、この凹凸形状をなくして平らにすると鏡面となってそれなりの装飾効果
が得られるが、表示領域１４と見切り領域との境界が目立つので、特殊な効果を期待する
以外は凹凸形状を設けて白色となるようにした方が見栄えが良くなる。
【実施例２】
【００５３】
実施例１の液晶表示パネル１０は、トランスファ電極４４をシール材３５によって形成
された液晶注入孔４２の内部の中央に配置した例を示したが、このような構成であると液
晶注入孔４２の開口がトランスファ電極４４によって遮られるので、見かけ上液晶注入孔
の開口が小さくなって液晶の注入がし難くなる場合がある。このような点を改善するため
に、実施例２の液晶表示パネル１０'としては、トランスファ電極４４を液晶注入孔４２
の両側に位置するシール材３５の両方の内側端縁に接するように設けた。この実施例２の
片端子型の半透過型液晶表示パネル１０'の模式的な平面図を図５に示す。なお、実施例
２の半透過型液晶表示パネル１０'の構成は、トランスファ電極形成部４３及びトランス
ファ電極４４の配置が異なる他は実施例１の液晶表示パネル１０と構成の差異はないので
、実施例１の液晶表示パネル１０と同一構成部分については同一の参照符号を付与してそ
の詳細な説明は省略する。
【００５４】
この実施例２の液晶表示パネル１０'によれば、液晶注入孔４２の開口スパンが実施例
１の場合と同様であっても、見かけ上実施例１のものよりも大きい液晶注入孔を確保する
ことができ、液晶注入作業をスムーズに行うことができるようになる。また、実施例２の
液晶表示パネル１０'は、この液晶注入に関する効果以外は、実質的に実施例１の液晶表
示パネル１０の場合と同様の効果を奏する。この場合においても、トランスファ電極形成
部４３及びトランスファ電極４４を液晶注入孔４２の両側に位置するシール材３５の両方
の内側端縁に接するようにそれぞれ１個ずつ計２個設けた例を示したが、片側の１個だけ
であってもよい。
【実施例３】
【００５５】
実施例１及び２の半透過型液晶表示パネル１０は、トランスファ電極４４をシール材３
５によって形成された液晶注入孔４２の内部に配置した例を示したが、このような構成で
あると液晶注入孔４２の開口がトランスファ電極４４によって遮られるため、液晶の注入
がし難くなる場合がある。このような点を改善するために、実施例３の半透過型液晶表示
パネル１０"としては、トランスファ電極４４を、液晶注入孔４２両側に位置するシール
材３５の両方の外側端縁に接するように設けた。この実施例３の片端子型の半透過型液晶
表示パネル１０"の模式的な平面図を図６に示す。なお、実施例３の半透過型液晶表示パ
ネル１０"の構成は、トランスファ電極形成部４３及びトランスファ電極４４の配置が異
なる他は実施例２の液晶表示パネル１０'と構成の差異はないので、実施例２の液晶表示
パネル１０'と同一構成部分については同一の参照符号を付与してその詳細な説明は省略
する。
【００５６】
この実施例３の半透過型液晶表示パネル１０"によれば、液晶注入孔４２に広い開口ス
パンを確保することができ、トランスファ電極４４が液晶注入の妨げとならないので、液
晶注入作業をスムーズに行うことができるようになる。また、実施例３の半透過型液晶表
示パネル１０"は、この液晶注入に関する効果以外は、実質的に実施例１の液晶表示パネ
ル１０及び実施例２の液書表示パネル１０'の場合と同様の効果を奏する。この場合にお
いても、トランスファ電極形成部４３及びトランスファ電極４４を液晶注入孔４２の両側
に位置するシール材３５の両方の端縁に接するようにそれぞれ１個ずつ計２個設けた例を
示したが、片側の１個だけであってもよく、更に、トランスファ電極４４を設けるスペー
スが十分にある場合には、液晶注入孔４２の両側に位置するシール材３５に接しないよう
に外側に間隔を開けて配置してもよい。
【図面の簡単な説明】
【００５７】
【図１】実施例１による片端子型の半透過型液晶表示パネルの模式的な平面図である。
【図２】図１のＡ−Ａ線に沿った断面図である。
【図３】図１のＢ−Ｂ線に沿った断面図である。
【図４】図１の液晶表示パネルのアレイ基板の左上側の部分拡大図である。
【図５】実施例２による片端子型の半透過型液晶表示パネルの模式的な平面図である。
【図６】実施例３による片端子型の半透過型液晶表示パネルの模式的な平面図である。
【図７】従来例の片端子型の半透過型液晶表示パネルの模式的な平面図である。
【図８】図７のアレイ基板の１画素分の平面図である。
【図９】図８のＣ−Ｃ線に沿った断面図である。
【図１０】反射部を形成した非表示領域を装飾用として用いた液晶表示パネルの模式的な平面図である。
【図１１】図１０のＤ−Ｄ線に沿った断面図である。
【図１２】図１０の液晶表示パネルのアレイ基板の左上側の模式的な部分拡大図である。
【図１３】透明電極と対向電極との間に発生する電圧ＶＬＣについて説明する等価回路図である。
【符号の説明】
【００５８】
１０、１０'、１０Ａ、１０Ｂ    半透過型液晶表示パネル
１１    アレイ基板
１２    対向基板
１３、２８    透明基板
１４    表示領域
１５    額縁領域
１６    ドライバ回路配置部
１７    走査線
１７１    走査線配線
１８    補助容量線
１９    ゲート絶縁膜
２０    半導体層
２１    信号線
２１１    信号線配線
２２    保護絶縁膜
２３    層間膜
２４    コンタクトホール
２６    画素電極
２７    反射板
２９    カラーフィルタ層
３０    トップコート層
３１    対向電極
３３    非表示領域
３４    見切り領域（反射部を形成した非表示領域）
３５    シール材
３６    ブラックマスク
３７、３７ａ    反射板
３８、３８ａ    透明電極
３９    柱状スペーサ
４０    コモン配線
４２    液晶注入孔
４３    トランスファ電極形成部
４４    トランスファ電極
【図１】
2007334023.tif 000004
【図２】
2007334023.tif 000005
【図３】
2007334023.tif 000006
【図４】
2007334023.tif 000007
【図５】
2007334023.tif 000008
【図６】
2007334023.tif 000009
【図７】
2007334023.tif 000010
【図８】
2007334023.tif 000011
【図９】
2007334023.tif 000012
【図１０】
2007334023.tif 000013
【図１１】
2007334023.tif 000014
【図１２】
2007334023.tif 000015
【図１３】
2007334023.tif 000016